(57)【特許請求の範囲】
【請求項１】
ホログラム形成層を有するホログラムシートであって、
前記ホログラム形成層の一表面上に形成された回折格子の表面上には、潜像画像領域と潜像背景領域から成るホログラム画像領域を有し、
前記潜像画像領域及び前記潜像背景領域は、前記ホログラム画像領域の全面に所定のピッチで連続的に配置された光透過性部材から成る第１の面積の潜像画像画素と第２の面積の潜像背景画素が形成され、
前記潜像画像領域は、前記潜像画像画素と前記潜像画像画素の周囲に形成された光反射性部材から成る第１の光反射領域が形成され、
前記潜像背景領域は、前記潜像背景画素と前記潜像背景画素の周囲に形成された光反射性部材から成る第２の光反射領域が形成され、
前記第１の面積と前記第２の面積が異なり、
前記ホログラムシートを反射状態で観察した場合には、前記潜像画像領域及び前記潜像背景領域に形成された潜像画像画素及び潜像背景画素は一様の模様として観察されることでホログラム効果による反射画像のみが可視化され、
前記ホログラムシートを透過状態で観察した場合に、前記潜像画像画素と前記背景画像画素から透過する透過光量の差によって透過潜像画像が可視化されることを特徴とするホログラムシート。
【請求項２】
ホログラム形成層を有するホログラムシートであって、
前記ホログラム形成層の一表面上に形成された回折格子の表面上には、潜像画像領域と潜像背景領域から成るホログラム画像領域を有し、
前記潜像画像領域及び前記潜像背景領域は、前記ホログラム画像領域の全面に所定のピッチで連続的に配置された光透過性部材から成る潜像画像画素と潜像背景画素が形成され、
前記潜像画像画素と前記潜像背景画素は、面積が同一で、かつ、異方性を有する形状により形成され、
前記潜像画像領域は、第１の方向に沿って配置された前記潜像画像画素と前記潜像画像画素の周囲に形成された光反射性部材から成る第１の光反射性領域が形成され、
前記潜像背景領域は、前記第２の方向に沿って配置された前記潜像背景画素と前記潜像背景画素の周囲に配置された光反射性部材から成る第２の光反射性領域が形成され、
前記ホログラムシートを反射状態で観察した場合には、前記潜像画像領域及び前記潜像背景領域に形成された潜像画像画素及び潜像背景画素は一様の模様として観察されることでホログラム効果による反射画像のみが可視化され、
前記ホログラムシートを透過状態で観察した場合に、前記潜像画像画素と前記背景画素の方向の差により透過光の方向が異なることで透過潜像画像が可視化されることを特徴とするホログラムシート。
【請求項３】
ホログラム形成層を有するホログラムシートであって、
前記ホログラム形成層の一表面上に形成された回折格子の表面上には、潜像画像領域と潜像背景領域から成るホログラム画像領域を有し、
前記潜像画像領域及び前記潜像背景領域は、前記ホログラム画像領域の全面に同一面積で連続的に配置された光透過性部材から成る潜像画像画素と潜像背景画素が形成され、
前記潜像画像画素と前記潜像背景画素は、前記潜像画像領域及び前記潜像背景領域内における単位あたりの画素密度が異なり、
前記潜像画像領域は、前記潜像画像画素と前記潜像画像画素の周囲に形成された光反射性部材から成る第１の光反射性領域が形成され、
前記潜像背景領域は、前記潜像背景画素と前記潜像背景画素の周囲に形成された光反射性部材から成る第２の光反射性領域が形成され、
前記ホログラムシートを反射状態で観察した場合には、前記潜像画像領域及び前記潜像背景領域に形成された潜像画像画素及び潜像背景画素は一様の模様として観察されることでホログラム効果による反射画像のみが可視化され、
前記ホログラムシートを透過状態で観察した場合に、前記潜像画像画素と前記潜像背景画素の画素密度の差によって発生する透過光量の差により透過潜像画像が可視化されることを特徴とするホログラムシート。
【請求項４】
ホログラム形成層を有するホログラムシートであって、
前記ホログラム形成層の一表面上に形成された回折格子の表面上には、潜像画像領域と潜像背景領域から成るホログラム画像領域を有し、
前記潜像画像領域は、前記ホログラム画像領域の全面に所定のピッチで連続的に配置された光透過性部材から成る潜像画像画素又は潜像画像線のいずれか一方が形成され、前記潜像背景領域は、所定のピッチで連続的に配置された潜像背景画素又は潜像背景線の他方が形成され、
前記潜像画像画素又は前記潜像画像線と前記潜像背景画素又は前記潜像背景線は、単位あたりの光透過性部材の密度が同一か、又は異なり、
前記潜像画像領域は、前記潜像画像画素又は前記潜像画像線の周囲に形成された光反射性部材から成る第１の光反射性領域が形成され、
前記潜像背景画素又は前記潜像背景線の周囲に形成された光反射性部材から成る第２の光反射性領域が形成され、
前記ホログラムシートを反射状態で観察した場合には、前記潜像画像領域及び前記潜像背景領域に形成された前記潜像画像画素又は前記潜像画像線と前記潜像背景画素又は前記潜像背景線は一様の模様として観察されることでホログラム効果による反射画像のみが可視化され、
前記ホログラムシートを透過状態で観察した場合に、前記潜像画像画素又は前記潜像画像線と前記潜像背景画素又は前記潜像背景線から透過する透過光量の差か、又は透過光の形状の差により透過潜像画像が可視化されることを特徴とするホログラムシート。
【請求項５】
前記潜像画像画素及び／又は前記潜像背景画素の形状が、円、楕円、多角形、図形、マーク又は文字のいずれかで形成することを特徴とする請求項１乃至４のいずれか一項に記載のホログラムシート。
【請求項６】
前記ホログラム形成層において、前記ホログラム画像領域の周辺に、光透過性部材から成る透明領域が形成されることを特徴とする請求項１乃至５のいずれか一項に記載のホログラムシート。
【請求項７】
前記請求項１乃至６のいずれか一項に記載のホログラム形成層を接着剤層を介して印刷基材に接着されたことを特徴とする印刷媒体。
【請求項８】
前記印刷媒体が銀行券であることを特徴とする請求項７記載の印刷媒体。
【発明の詳細な説明】
【技術分野】
【０００１】
本発明は、ホログラムシートとそのホログラムシートを紙などの基材に貼付した印刷媒体に関する。特に、本発明は、銀行券、パスポート、ブランドプロテクションなどの貴重性の高い媒体に利用され、偽造防止や真偽判別が必要な媒体に適用できる。
【背景技術】
【０００２】
磁気カードなどのカード媒体や銀行券、諸証券などの紙媒体の表面にホログラムを貼付し、偽造防止のためのセキュリティ機能を高める方法としては、公知になっている。しかし、コピー機やパソコンなどの電子機器の急激な精度向上に伴い、単純なホログラムでは偽造防止として十分な機能を得られていない状況にある。そこで、ホログラムを構成する金属層又は金属蒸着層に、非金属領域を設けて透明層又は透明部分を形成することは、以下の先行発明のとおり開示されている。
【０００３】
例えば、ホログラムのマスキング印刷層を洗い流すことで、所望のパターン（ダイヤ・ハート・クローバ・スペード等）の金属反射層を設けて、意匠性の自由度が増し、細かいパターン、複雑なパターンを形成する技術が開示されている（例えば、特許文献１参照）。
【０００４】
ホログラムの金属蒸着層を除去する方法としては、例えば、金属蒸着層をＹＡＧもしくはＣＯ２等のレーザビームで照射により非接触にて溶解し、固定情報として印字パターンとする技術が開示されている（例えば、特許文献２参照）。
【０００５】
また、金属蒸着型熱転写用ホログラムシートにレーザを部分的に照射し、照射部分の金属蒸着層をスリット状又はメッシュ状に蒸発させる技術が開示されている（例えば、特許文献３参照）。
【０００６】
更に、ホログラムに印刷デザイン形成部と、ホログラムの金属蒸着膜をレーザ加工又はエッチング処理により透かしデザイン形成部を設ける技術が開示されている（例えば、特許文献４参照）。
【０００７】
また、基材に孔をあけて、反射状態においては裸眼でそれらのなすパターンが見えないが、透過状態においてパターンが見える安全保管文書の技術が開示されている（例えば、特許文献５参照）。
【０００８】
【特許文献１】特開平１１−２８６１９４号公報
【特許文献２】特開平１０−３３３５７４号公報
【特許文献３】特開２００３−１５００２７号公報
【特許文献４】特開２００５−１４４９２号公報
【特許文献５】特表２０００−５０１０３６号公報
【発明の開示】
【発明が解決しようとする課題】
【０００９】
ところで、先行発明の特開平１１−２８６１９４号公報は、ホログラムの金属蒸着層内に非金属領域を設けて、所望のパターン（ダイヤ・ハート・クローバ・スペードが開示されている）を形成することから、デザインを作成する上では、任意のパターンが自由に形成できるという利点がある。しかし、偽造防止に関するセキュリティ面から見ると、前記ホログラムによる金属蒸着層内に非金属領域で形成する所望のパターンは、単純な図柄で、且つ、パターン図柄全体を金属蒸着層の有無で形成していることから、複写、複製した場合に模造されやすいため、セキュリティ面では課題があった。そのため、金属蒸着層内に非金属領域を、より効果的な構成にして、偽造抵抗力を高めることが望まれていた。
【００１０】
また、先行発明の特開平１０−３３３５７４号公報は、ホログラムの金属蒸着層をＹＡＧもしくはＣＯ２等のレーザビームで照射により非接触にて溶解し、固定情報として印字パターンを形成する。具体的な印字パターンとしては管理番号や文字などが開示されており、目視できる程度の大きさの固定情報を記録することで、本発明の目的や利用としては達成されている。しかし、固定情報を微細な構造体（例えば、微細な線状や点状の集合体）にした場合、線や点は微小であるため、レーザビームの出力のばらつきが生じ、レーザ出力が減少した場合、線や点として形成されず、逆に、レーザ出力が増えた場合、設定幅の線や点よりも大きくなる可能性があることから、微細体を形成するのは不向きである。従って、レーザビームで固定情報を加工する場合、レーザビームの出力のバラツキに対する影響は受けにくい文字などが好適であり、固定情報を微細な構造とした場合には課題があった。
【００１１】
また、先行発明の特開２００３−１５００２７号公報は、ホログラムシートの金属蒸着層にレーザを部分的に照射し、照射部分の金属蒸着層をスリット状又はメッシュ状に蒸発させるがホログラム形成層は残存させ、擬似的な透明あるいは半透明なホログラムシートを形成する。本発明は、コスト面で多種少量生産に好適であるが、大量生産品では、レーザビームの出力のバラツキが影響し、その結果、金属蒸着層に対してレーザ加工した加工精度（金属蒸着層を除去する精度）もあばれを生じることから、常に同一の加工精度、加工品質が求められる場合は不適であった。一方、精密な加工が可能なレーザビームを有する装置は、レーザによる加熱を制御する機能やスペースが必要となり、装置自体が大きくなることと、装置の価格が高くなり、低コストでは実現できない。
【００１２】
また、ホログラムの金属蒸着層をレーザ加工により蒸発させ、スリット状、メッシュ状として、透かして見た時に、あたかも透明（又は半透明）に見えることで擬似透明ホログラムとして機能させている。前記スリット状、前記メッシュ状とする目的は、レーザ加工により金属蒸着層に対して、除去部分と非除去部分を繰り返して形成することにより、肉眼で見た場合、ホログラムに透明（又は半透明）の濃淡を与えるものである。しかし、偽造防止に関するセキュリティ面では、前記ホログラムの真偽を判別する場合、「透明（又は半透明）である」「透明（又は半透明）でない」という濃度を基準とするため、判定する者の個人差により基準が異なり、客観的な判断ができないため、真偽判別手段としては向いていないという課題があり、誰にでも客観的に判断できる真偽判別手段が望まれていた。
【００１３】
一方、ホログラムの金属蒸着層をレーザ加工により除去し透かして見える情報としては、具体的には文字や数字が開示されているが、文字の大きさに具体的な記載が無いため、透かしても見えるが、透かさなくても反射状態で文字や数字が目視できてしまうという欠点があり、セキュリティ面の潜像効果としては、より反射状態で目視した時に前記情報が見えない構成が望まれていた。
【００１４】
また、先行発明の特開２００５−１４４９２号公報は、ホログラムに印刷デザイン形成部と、ホログラムの金属蒸着膜をレーザ加工又はエッチング処理により透かしデザイン形成部を設けているが、具体的に開示されている透かしデザイン形成部は、文字や数字であり、文字の大きさに具体的な記載が無く、透かしても見えるが、一方で、透かさなくても反射状態で文字や数字が目視できてしまうため、セキュリティ面の潜像効果としては、より反射状態で情報が見えない構成が望まれていた。
【００１５】
また、先行発明の特表２０００−５０１０３６号公報は、基材に対して、レーザ光線により孔をあけて、反射状態においては裸眼でそれらのなすパターンが見えないが、透過状態においてパターンが見えるという発明が開示されている。しかし、銀行券のような繰返し利用され且つ、ＡＴＭや券売機などで機械処理される場合は、基材自体に孔をあけると、孔をあけた周辺部分の耐久性が低下し、流通適性が損なわれてしまう可能性がある。また、大量生産する場合、レーザ光線により基材に孔をあけるため、レーザ光線の出力のバラツキから安定した大きさの孔か得られない場合がある。さらに、孔によりパターンを形成しているが、透過で見た場合にそのパターンの構成が容易に解明されてしまうため、偽造防止でも前記先行発明には課題があった。
【課題を解決するための手段】
【００１６】
本発明は、ホログラム形成層を有するホログラムシートであって、前記ホログラム形成層の一表面上に形成された回折格子の表面上には、潜像画像領域と潜像背景領域から成るホログラム画像領域を有し、前記潜像画像領域には、光透過性部材から成る第１の面積の潜像画像画素と、前記潜像画像画素の背景に形成された光反射性部材から成る第１の光反射領域とを有し、前記潜像背景領域には、光透過性部材から成る第２の面積の潜像背景画素と、前記潜像背景画素の背景に形成された光反射性部材から成る第２の光反射領域とを有し、前記潜像画像画素と前記潜像背景画素の前記面積は、異なることを特徴とするホログラムシートである。
【００１７】
また、本発明は、ホログラム形成層を有するホログラムシートであって、前記ホログラム形成層の一表面上に形成された回折格子の表面上には、潜像画像領域と潜像背景領域から成るホログラム画像領域を有し、前記潜像画像領域には、光透過性部材から成る第１の面積及び第１の向きから成る潜像画像画素と、前記潜像画像画素の背景に形成された光反射性部材から成る第１の光反射領域とを有し、前記潜像背景領域には、光透過性部材から成る第２の面積及び第２の向きから成る潜像背景画素と、前記潜像背景画素の背景に形成された光反射性部材から成る第２の光反射領域とを有し、前記潜像画像画素と前記潜像背景画素の前記面積は同一であり、且つ、前記潜像画像画素の第１の向きと前記潜像背景画素の第２の向きが異なって形成することを特徴とするホログラムシートである。
である。
【００１８】
また、本発明は、ホログラム形成層を有するホログラムシートであって、前記ホログラム形成層の一表面上に形成された回折格子の表面上には、潜像画像領域と潜像背景領域から成るホログラム画像領域を有し、前記潜像画像領域には、光透過性部材から成る第１の面積の潜像画像画素と、前記潜像画像画素の背景に形成された光反射性部材から成る第１の光反射領域とを有し、前記潜像背景領域には、光透過性部材から成る第２の面積の潜像背景画素と、前記潜像背景画素の背景に形成された光反射性部材から成る第２の光反射領域とを有し、前記潜像画像画素と前記潜像背景画素の前記面積は同一であり、且つ、単位あたりの画素密度が、前記潜像画像領域と前記潜像背景領域で異なることを特徴とするホログラムシートである。
【００１９】
また、本発明は、ホログラム形成層を有するホログラムシートであって、前記ホログラム形成層の一表面上に形成された回折格子の表面上には、潜像画像領域と潜像背景領域から成るホログラム画像領域を有し、前記潜像画像領域には、光透過性部材から成る潜像画像画素と、前記潜像画像画素の背景に形成された光反射性部材から成る第１の光反射領域とを有し、前記潜像背景領域には、光透過性部材から成る潜像背景線と、前記潜像背景線の背景に形成された光反射性部材から成る第２の光反射領域とを有して、単位あたりの前記潜像画像画素と前記潜像背景線の密度が、前記潜像画像領域と前記潜像背景領域で、同一又は異なることを特徴とするホログラムシートである。
【００２０】
また、本発明は、ホログラム形成層を有するホログラムシートであって、前記ホログラム形成層の一表面上に形成された回折格子の表面上には、潜像画像領域と潜像背景領域から成るホログラム画像領域を有し、前記潜像画像領域には、光透過性部材から成る潜像画像線と、前記潜像画像線の背景に形成された光反射性部材から成る第１の光反射領域とを有し、前記潜像背景領域には、光透過性部材から成る潜像背景画素と、前記潜像背景画素の背景に形成された光反射性部材から成る第２の光反射領域とを有して、単位あたりの前記潜像画像線と前記潜像背景画素の密度が、前記潜像画像領域と前記潜像背景領域で、同一又は異なることを特徴とするホログラムシートである。
【００２１】
また、本発明は、前記潜像画像画素及び／又は前記潜像背景画素は、マトリックス状に形成することを特徴とするホログラムシートである。
【００２２】
また、本発明は、前記潜像画像画素及び／又は前記潜像背景画素の形状が、円、多角形、図形、マーク又は文字のいずれかで形成することを特徴とするホログラムシートである。
【００２３】
また、本発明は、前記潜像画像画素及び前記潜像背景画素の形状が、異方性を有する楕円、多角形、図形、マーク又は文字のいずれかで形成することを特徴とするホログラムシートである。
【００２４】
また、本発明は、前記潜像画像画素と、前記潜像背景画素とは文字で形成し、同一の書体又は異なる書体で形成することを特徴とするホログラムシートである。
【００２５】
また、本発明は、前記ホログラム形成層において、前記ホログラム画像領域の周辺に、光透過性部材から成る透明領域で形成されることを特徴とするホログラムシートである。
【００２６】
また、本発明は、ホログラム形成層を接着剤層を介して印刷基材に接着されたことを特徴とする印刷媒体である。
【００２７】
また、本発明は、前記印刷媒体が銀行券であることを特徴とする印刷媒体である。
【発明の効果】
【００２８】
本発明のホログラムシート及びホログラム形成層を接着剤で貼付した印刷基材のホログラム画像領域は、反射状態で目視した場合、光反射性部材から成る潜像画像領域及び潜像背景領域の光反射領域により、回折光や反射光でホログラム効果が目視できるが、ホログラム画像領域の光透過性部材で形成した潜像画像画素及び潜像背景画素は目視できない。一方、ホログラム画像領域を透過状態で目視した場合は、ホログラム効果は目視できないが、ホログラム画像領域の光透過性部材で透明に形成した潜像画像領域における複数の潜像画像画素と潜像背景領域における複数の潜像背景画素との透過光量の差異や透過光の方向性の差異などにより、潜像画像領域が文字、マーク、図柄として目視できる。この時、前記潜像画像画素及び前記潜像背景画素は、それぞれの１個々の画素としては微細なため目視し難いが、潜像画像領域の複数の潜像画像画素、潜像背景領域の複数の潜像背景画素を備えるため、潜像画像領域及び潜像背景領域を領域（又はエリア）として目視した場合、より多くの透過光を目視することができ、前記領域で形成された情報又はパターン（例えば、文字、マーク、図柄など）が容易に認識できる。従って、反射状態ではホログラム効果、透過状態では潜像効果という２種類の効果を、真偽判別道具などを使用することなく目視で真偽判別できるというメリットを備える。なお、本発明のホログラムシートのホログラム形成層を接着剤によって、紙、フィルム、カードなどの基材に貼り付けても同様な効果を得られ、銀行券や有価証券には好適である。ただし、前記基材は、光を一定以上透過する素材、材料でなければならない。
【００２９】
また、ホログラムシートのホログラム画像領域の光反射性部材としては、例えば、アルミニウムなどの光沢性が高い金属材で形成されるため、複写、複製に対する抵抗力が高い。その理由としては、カラーコピー機やスキャナなどの機器は、強い投下光を被複写物や被複製物に当てて入力画像を得るため、光反射性が高いアルミニウムなどの金属材は、投下光の反射率が高いため、正確に再現することが難しい。加えて、本発明では、ホログラム画像領域に光透過性部材（例えば、透明の熱可塑性樹脂）で形成した潜像画像画素及び潜像背景画素は微細であるため、それぞれの１個々の画素は、光反射性部材である光反射領域（例えば、アルミニウム）による反射光や回折格子による回折光により、潜像画像画素及び潜像背景画素は、複写、複製をより困難にする。従って、本発明のホログラムシートは、複写、複製に対して、異なる２種類の防止機能を有することから、２重のセキュリティが付与できる。
【００３０】
また、本発明のホログラムシートのホログラム形成層は、基材に貼付しても、透過状態による潜像効果が得られる。例えば、紙などの基材自体に孔をあけて、透過状態で潜像を目視できる技術も開示されているが、この技術では、基材自体に孔をあけるため、孔をあけた領域の耐久性や強度が低下してしまうことは避けられないが、本発明のホログラムシートのホログラム形成層を基材に直接貼り付けた場合は、基材自体の耐久性は低下せず、ＡＴＭや券売機などの搬送に対しても悪影響を及ぼさない。
【００３１】
また、本発明のホログラムシート及びホログラム形成層を接着剤で貼付した印刷基材は、ホログラム画像領域において、潜像画像領域の潜像画像画素と潜像背景領域の潜像背景画素とを備えているため、反射で目視した場合のカモフラージュ性が高い構成となっている。その理由として、例えば、ホログラム画像領域を潜像画像領域と潜像背景領域に区分けし、一方の領域は、光透過性部材で形成した潜像画素と光反射性部材から成る光反射領域で形成し、もう一方の領域を光反射性部材から成る光反射領域のみで形成した場合、潜像線を備える領域と潜像線を備えない領域では、それぞれの領域ではアルミニウムなどの光反射性部材の面積に大きな差異が生じることから、光反射性や光沢性が異なり、潜像が見やすくなる。正確には、潜像画素が見やすくなる。しかし、本発明のホログラムシートの構成では、それぞれの領域に、光透過性部材から成る潜像画素と光反射性部材から成る光反射領域を備えるため、それぞれの領域では光反射性部材の面積に大きな差異が生じず、光反射性や光沢性の差異が少ないことから、ホログラムシート及びホログラム形成層を接着剤で貼付した印刷基材を反射状態で目視した場合に、より潜像画素を潜像化できるメリットがある。なお、潜像背景領域又は潜像背景領域において、どちらか一方の潜像画素の替わりに線で形成しても、前述と同様のホログラム効果や潜像効果が得られる。なお、ここでいう「画素」とは、潜像画像領域及び潜像背景領域の光透過性部材で形成される一要素であり、画素の面積を変化させれば、透過状態で目視した場合の透過光量も変化する。また、「画素」は印刷業界でいうところの網点と同様である。
【発明を実施するための最良の形態】
【００３２】
本発明の実施形態について図面を用いて説明する。しかしながら、本発明は以下に述べる実施するための最良の形態に限定されるものではなく、特許請求の範囲記載における技術的思想の範囲内であれば、その他のいろいろな形態が実施可能である。
【００３３】
（ホログラムシートの形態）
図１は、本発明のホログラムシート１の概観図である。ホログラムシート１はロール状に巻き付けられており、ホログラム画像領域６、透明領域６ｅ及び位置決めマーク９で構成されている。ホログラム画像領域６は、光反射性部材から成る第１の光反射領域６ａ及び第２の光反射領域６ｃと、光透過性部材から成る第１の潜像画像画素６ｂ及び第２の潜像背景画素６ｄから成る。光反射領域６ａ及び光反射領域６ｃは、反射状態で目視した場合にホログラム効果を有しており、潜像画像画素６ｂ及び潜像背景画素６ｄは反射状態で目視した場合、それぞれの線は目視できないが（又は潜像化するが）、透過状態で目視すると、それぞれの線が目視できる（又は建像化する）。また、透明領域６ｅは光透過性部材から成り、前記ホログラム効果は必要としない領域であるため、透明又は半透明にすることが望ましく、潜像画像画素６ｂ及び潜像背景画素６ｄと同様のホログラム加工層４から成る。一方、位置決めマーク９は光反射性部材から成り、紙やプラスチックなどの基材１０に連続的に貼付する場合、貼付機での前記位置決め用マーク９を光学センサーなどで読み取って、ホログラムシート１の最下部に積層された接着剤層８を熱圧着することにより、基材１０に対して一定の位置に貼付される。従って、本発明のホログラムシート１を基材１０に貼付する場合は、前記位置決めマーク９は基材１０に貼付されず、ホログラム画像領域６及びホログラム画像領域６周辺の透明領域６ｅを貼付することが望ましい。なお、図１のホログラムシート１は、貼付機によって連続的に貼付されるため、ロール状で説明しているが、位置決めマーク９を有しなくても良いし、ホログラム画像領域６をマトリックス状に複数配置したシート状の形態でも構わないし、透明領域６ｅを有さず光反射性部材のみでホログラムシートを層構成しても良い。また、位置決めマーク９の形状も限定されず、貼付機の機種によって適宜形状を選択すれば良い。
【００３４】
本発明で記載する「ホログラム効果」とは、本発明のホログラム画像領域６を、「反射状態」で目視した時に、回折格子の回折光や反射光により、図柄の色彩が虹色に変化したり、画像が他の画像と切り替わるような効果をいい、ホログラムシート１の状態でも、又は、ホログラムシート１のホログラム形成層３を接着剤層８などを用いて基材１０に貼付した状態でも、ホログラム効果が得られる。ホログラム形成層３は、ホログラム加工層４に、回折格子又は回折格子パターンとなる微細な凹凸を形成し、この凹凸表面にアルミニウムなどの光沢性が高い光反射性部材を蒸着などで密着させることで作製できる。具体的なホログラム効果としては、日本やユーロなどの銀行券に貼付されているホログラムのように、見る角度で複数の図柄や色彩が変化するなどの効果をいう。また、ホログラム効果は、銀行券のホログラムで見られる効果には限らず、公知のカード、商品券、証明書に貼付されたホログラムの効果でも構わない。また、ここで記載する「潜像効果」とは、本発明のホログラム画像領域６を、「反射状態」で目視した時に、文字、図柄、マークなどの情報は目視できない（又は潜像となる）が、「透過状態」で目視した時（又は透かして見た時）には、前記潜像画像領域が文字、図柄、マークなどの情報として目視できることをいう。
【００３５】
図２（ａ）、（ｂ）は、ホログラムシート１のホログラム形成層３を基材１０に貼付した図である。具体的な所定領域とは、ホログラム画像領域６とその周辺の透明領域６ｅである。また、基材１０は紙として、料額、人像、地紋などの必要な情報をオフセット印刷、凹版印刷やスクリーン印刷により施されていることが望ましい。ホログラム画像領域６には、図２（ａ）に示すように、潜像画像領域と潜像背景領域に領域が分けられている。また、図２（ｂ）に示すように、前記潜像画像領域には、光透過性部材から成る第１の面積の潜像画像画素６ｂと、前記潜像画像画素６ｂの背景に形成された光反射性部材から成る第１の光反射領域６ａで構成されている。一方、前記潜像背景領域には、光透過性部材から成る第２の面積の潜像背景画素６ｄと、前記潜像背景画素６ｄの背景に形成された光反射性部材から成る第２の光反射領域６ｃで構成されている。前記潜像画像領域と前記潜像背景領域の構成は、逆であっても構わない。
【００３６】
（ホログラム形成層の構成）
図３（ａ）は、本発明のホログラムシート１の構成図であり、ホログラムシート１は、ホログラムシート基材２、ホログラム形成層３及び接着剤層８で形成される。ホログラムシート基材２はシート基材２ａと剥離層２ｂからなり、シート基材２ａの一方の面に、塗工機、グラビアコーター、グラビア印刷機やスクリーン印刷機などを利用し、透明又は半透明の剥離層２ｂを積層する。ホログラム形成層３は、ホログラム加工層４、回折格子５（正確には、光反射性部材を密着した凹凸５ａと光透過性部材から成る凸凹５ｂ）、マスク層７で形成され、基材１０に貼付する場合はホログラム形成層３が接着剤層８を介して基材１０に接着、形成される。ホログラム形成層３の作製方法としては、剥離層２ｂの表面に光透過性部材である透明又は半透明のホログラム加工層４を積層し、ホログラム効果を発現するために微細な凹凸又は凹凸パターンでなる回折格子５を形成する。前記回折格子５は、図示しない金属製のスタンパーの一表面に形成された回折格子５の凹凸を、ホログラム加工層４表層に熱転写するなどして形成される。正確には、スタンパーに形成された凹凸は、ホログラム加工層４では凹凸の形状が逆になり回折格子５となる。次に、ホログラム加工層４表面にアルミニウムなどの光反射性部材を真空蒸着やスパッタリングした後、グラビア印刷機などでマスク層７を形成し、アルカリ溶液に浸漬することにより、マスク層７で保護されていない前記回折格子５に形成されたアルミニウムは溶解、除去され、光透過性部材から成る透明な凹凸５ｂを形成する。従って、光透過性部材はホログラム加工層４となる。一方、マスク層７で被覆されている領域のみアルミニウム（図の太線部分）が残存し、アルミニウムが密着した凹凸５ａを形成する。具体的には、ホログラム画像領域６のうち、潜像画像領域は、アルミニウムが残存する光反射領域６ａ（図の太線部分）と、アルミニウムが溶解された光透過領域６ｂとから成る。また、光透過領域６ｂは、線状に透明又は半透明として形成され、潜像画像画素６ｂとなる。一方、潜像背景領域は、アルミニウムが残存する光反射領域６ｃ（図の太線部分）と、アルミニウムが溶解された光透過領域６ｄとから成る。また、光透過領域６ｄは、線状に透明又は半透明として形成され、潜像背景画素６ｄとなる。また、ホログラム画像領域６の周辺の透明領域６ｅは、ホログラム加工層４に形成した前記回折格子５及び／又は平坦面を備えるが、光透過性部材で透明又は半透明であることが望ましい。更に、マスク層７、潜像画像画素６ｂ、潜像背景画素６ｄ及び透明領域６ｅの下層に、接着剤層８をホログラムシート１全体の厚みがほぼ均一になるように積層する。なお、ホログラムシート１に光透過性部材から成る透明又は半透明の領域を形成する方法としては、水溶性インキでホログラム加工層４の前記回折格子５にマスク層を形成した後、真空蒸着などで光反射性部材を密着し、前記マスク層を除去し、透明又は半透明に形成する方法でも構わない。なお、図３（ａ）のホログラム形成層３は、説明の便宜上、相当の厚みがあるように示しているが、実際の構成では極めて薄い層であり、図３（ｂ）及び（ｃ）のホログラム形成層３の厚みは同一である。
【００３７】
ホログラムシート基材２のシート基材２ａは、透明プラスチックが望ましく、例えば、ＰＥＴなどの公知の樹脂を使用すれば良い。剥離層２ｂ、ホログラム加工層４、接着剤層８は、熱可塑性や熱硬化性などの公知の樹脂を適宜選択すれば良いが、ホログラム加工層４は光透過性部材である透明又は半透明な樹脂が望ましい。また、前記光反射性部材には、アルミニウム、銅、ニッケル、錫などがあるが、高輝度で経済性に有利なアルミニウムが好適であり、真空蒸着やスパッタリングを利用して形成すれば良い。また、光反射性部材にアルミニウムを使用した場合、１００〜２０００Åの厚みが望ましい。
【００３８】
（ホログラム形成層の貼付方法）
図３（ｂ）は、高温加熱した刻印Ｓを用いて、前記ホログラムシート１を基材１０に押圧することにより、ホログラムシート１の一部であるホログラム形成層３を基材１０に貼付した模式図である。この時、接着剤層８は、熱溶解して基材１０に固着されるよう、ホットメルト材が望ましい。貼付時には、図１で示す前記位置決めマーク９を光学センサーで読み取って貼付しても構わない。図３（ｃ）は、刻印Ｓで押圧後、基材１０に前記ホログラム形成層３が貼付された図である。従って、基材１０に貼付されるホログラム形成層３は、刻印Ｓで押圧されている領域であり、また、ホログラム形成層３よりも上層に形成されているホログラムシート基材２（シート基材２ａ及び剥離層２ｂ）は剥離されて基材１０には貼付されない。ただし、剥離層２ｂが透明又は半透明であれば、ホログラム形成層３の表層に残存しても、ホログラム効果を阻害しないため、剥離層２ｂが多少残っても構わない。基材１０は、紙、プラスチック、布、フィルムなどが好適である。
【００３９】
（ホログラムシートの厚み）
また、図３（ａ）〜（ｃ）は模式図であり、実際のホログラムシート１において、シート基材２ａの厚みは、０．０１５ｍｍ〜０．０２５ｍｍ、基材１０に貼付される前記ホログラム形成層３の厚みは、０．００５ｍｍ〜０．０３０ｍｍが望ましく、ホログラム形成層３の厚みは極めて薄くすることが偽造防止は有効である。
【００４０】
（回折格子の構成）
ホログラム形成層３の回折格子５の構成としては、公知のレリーフ型ホログラム、レインボー型ホログラムなどの公知である微細な凹凸パターンを形成したホログラムを使用すれば良く、特に制約されるものではない。
【００４１】
（潜像画像画素と潜像背景画素の構成）
図４〜図９は、図２で示す基材１０に貼付したホログラム形成層３を拡大したものである。また、図４〜図９は、本発明の特徴である光透過性部材による潜像画像画素６ｂ及び潜像背景画素６ｄを備えた実施形態であり、例えば、ホログラムシート１の一部であるホログラム形成層３を基材１０に貼付機などで貼付し、ホログラム形成層３の一部であるホログラム画像領域６とその周辺部の透明領域６ｅが基材１０上に貼付されている。また、本発明によるホログラムシート１は、ホログラムシート１のホログラム画像領域６を潜像画像領域と潜像背景領域に区分けし、潜像画像領域には、光透過性部材から成る複数の潜像画像画素６ｂと光反射性部材から成る光反射領域６ａとを設け、潜像背景領域には、光透過性部材から成る複数の潜像背景画素６ｄと光反射性部材から成る光反射領域６ｃとを設けている。図４〜図９は、前述のホログラムシートの層構成は同一であるが、光透過性部材から成る潜像画像画素６ｂ及び潜像背景画素６ｄの構成が異なっている。
【００４２】
図４は、本発明の一実施例であり、ホログラム画像領域６に光透過性部材から成る潜像画像画素６ｂと潜像背景画素６ｄを有し、それぞれの画素を円で、且つ、面積が異ならせて形成したホログラム貼付物（正確には、ホログラム形成層３を基材１０に貼付したもの）であり、潜像画像領域で「Ｐ」の文字を形成している。
【００４３】
図５は、本発明の一実施例であり、ホログラム画像領域６に光透過性部材から成る潜像画像画素６ｂと潜像背景画素６ｄを有し、それぞれの画素を四角形で、且つ、面積が異ならせて形成したホログラム貼付物であり、潜像画像領域で「Ｐ」の文字を形成している。
【００４４】
図６は、本発明の一実施例であり、ホログラム画像領域６に光透過性部材から成る潜像画像画素６ｂと潜像背景画素６ｄを有し、それぞれの画素を文字で、且つ、面積が異ならせて形成したホログラム貼付物であり、潜像画像領域で「Ｐ」の文字を形成している。
【００４５】
図７は、本発明の一実施例であり、ホログラム画像領域６に光透過性部材から成る潜像画像画素６ｂと潜像背景画素６ｄを有し、それぞれの画素を三角形で、且つ、向き（又は方向）を異ならせて形成したホログラム貼付物であり、潜像画像領域で「Ｐ」の文字を形成している。
【００４６】
図８は、本発明の一実施例であり、ホログラム画像領域６に光透過性部材から成る潜像画像画素６ｂと潜像背景画素６ｄを有し、それぞれの画素を丸で、且つ、単位あたりの画素密度を異ならせて形成したホログラム貼付物であり、潜像画像領域で「Ｐ」の文字を形成している。
【００４７】
図９は、本発明の一実施例であり、ホログラム画像領域６に光透過性部材から成る潜像画像画素６ｂと潜像背景線６ｄを有し、画素を四角、線を直線で、且つ、前記画素と前記線の単位あたりの密度を同一に形成したホログラム貼付物であり、潜像画像領域で「Ｐ」の文字を形成している。
【００４８】
（ホログラム効果）
前述した図４〜図９のホログラム形成層３で構成した場合、本発明による独自の効果が得られる。すなわち、図１０のように、ホログラム形成層３を貼付した基材１０の表面（基材１０に対してホログラム形成層３を貼付した面）から「反射状態」で目視した場合は、図１１のように前記回折格子５による回折光により、観察する角度によって様々なホログラム効果が目視できる。具体的には、観察角度によって、複数の図柄が出現することや、その図柄の色が変化が確認できる。例えば、図１１では、（ａ）は、Ｘ方向の所定の角度で観察すると「Ａ」という文字と色彩、（ｂ）は、Ｘ方向の所定の角度で観察すると「太陽」の図柄と色彩、（ｃ）は、Ｙ方向の所定の角度で観察すると「星」の図柄と色彩、（ｄ）は、Ｙ方向の所定の角度で観察すると「四角」の図柄と色彩が出現するホログラム効果を示している。しかし、観察角度により出現するホログラム画像の回数やホログラム画像の画像変化（切替、移動、膨張、収縮など）の方法には、特段の制約をなく、ホログラム効果が１つのパターンでも問題はない。一方で、ホログラム画像領域６に光透過性部材から成る前記潜像画像画素６ｂと前記潜像背景画素６ｄとは、微細で、且つ、潜像画像領域と潜像背景領域とで構成されているため、隠蔽性（又は潜像化）が高く反射状態では目視できないため、ホログラム効果を目視する時に、前記潜像画像画素６ｂと前記潜像背景画素６ｄでホログラム効果を阻害することはない。
【００４９】
（潜像効果）
図１２は、前述した図４〜図９のホログラム形成層３を貼付した基材１０の裏面（基材１０に対してホログラム１ａを貼付した逆の面）から「透過状態」で目視した場合である。この時、ホログラム効果は目視できないが、図４〜図９で説明した前記潜像画像画素６ｂと前記潜像背景画素６ｄは光反射性部材を有さず透明であるため、基材１０を通して光を透過する。そのため、潜像画像領域の前記潜像画像画素６ｂと潜像背景領域の前記潜像背景画素６ｄは、透過状態で目視できる。また、潜像画像画素６ｂと潜像背景画素６ｄとの透過光量の差異や透過光の方向性の差異により、図４〜図９に示した、潜像画像領域でなる「Ｐ」という文字が目視できる。なお、前記潜像画像画素６ｂ及び前記潜像背景画素６ｄは微細なため１個１個では目視し難いが、潜像画像領域及び潜像背景領域に複数の画素を形成することにより、透過光量の差異や透過光の方向性の差異が顕著になり、潜像画像領域でなる「Ｐ」という文字情報又は潜像情報などが容易に目視できるようになる。この時、基材１０は光を透過する材料や材質で構成する必要がある。また、透過状態で目視する場合、表面（ホログラム形成層３側）から目視しても、同様な潜像効果が得られる。潜像画像領域でなる情報としては、文字、数字、図柄、マークなど適宜選択すれば良い。
【実施例１】
【００５０】
図２に示すホログラムシート１の一部であるホログラム形成層３を基材１０に貼付機などで貼付する。図４は、図２のホログラム形成層３を拡大した図であり、また、透過状態で目視した概略図でもある。例えば、図４のように、紙などの基材１０に対して、ホログラム画像領域６とホログラム画像領域６周辺の透明領域６ｅを有するホログラム形成層３を貼付する。ホログラム画像領域６には、潜像画像領域と潜像背景領域を有しており、潜像画像領域には、光透過性部材から成る潜像画像画素６ｂが形成されている。潜像画像画素６ｂは、反射状態で目視できないように、透明又は半透明で微細な形状とする。潜像画像画素６ｂは円として、直径Ｗ１は０．２０ｍｍとするが、０．１５ｍｍ〜０．２５ｍｍの範囲が好ましい。潜像画像画素６ｂの縦横方向の円ピッチＰは、１．００ｍｍでマトリックス状に等間隔で配置するが、０．６０ｍｍ〜２．００ｍｍの範囲が好ましい。また、潜像画像画素６ｂの背景には、光反射性部材から成る光反射領域６ａを形成する。一方、潜像背景領域は、光透過性部材から成る潜像背景画素６ｄが形成されている。潜像背景画素６ｄも、反射状態で目視できないように、透明又は半透明で微細な形成とする。例えば、潜像画像画素６ｂを円として、直径Ｗ２は、０．１０ｍｍとするが、０．０５ｍｍ〜０．１５ｍｍの範囲が好ましい。潜像背景画素６ｄの縦横方向の円ピッチＰは、１．００ｍｍでマトリックス状に等間隔で配置するが、０．６０ｍｍ〜２．００ｍｍの範囲が好ましい。また、潜像背景画素６ｄの背景には、光反射性部材から成る光反射領域６ｃを形成する。更に、前記潜像画像画素６ｂと前記潜像画像背景画素６ｄは、縦横方向に同一延長線上に形成されており、一方で、光反射領域６ａと光反射領域６ｃは、前記潜像画像領域と前記潜像背景領域の境界部で連続的に形成されている。ただし、潜像画像画素６ｂ及び潜像背景画素６ｄの直径や円ピッチは、前述の数値に制限されるものではなく、適宜選択すれば良い。ただし、図４には、潜像背景画素６ｄの横方向の円ピッチＰは記載されていないが、縦方向の円ピッチＰと同様である。
【００５１】
図４のホログラム形成層３は、反射状態で目視した場合、光反射領域６ａ及び光反射領域６ｃから成る回折格子５によるホログラム効果が出現する。具体的には、前述の図１０及び図１１に示すホログラム効果と同様である。しかし、潜像画像画素６ｂ及び潜像背景画素６ｄは、反射状態では目視できない。また、図４は、ホログラム形成層３を透過状態で目視した場合、潜像画像画素６ｂ（又は、潜像画像画素群）及び潜像背景画素６ｄ（又は、潜像背景画素群）が目視でき、潜像画像領域から成る「Ｐ」という文字が目視できる。具体的には、先に説明した図１２に示す潜像効果と同様である。従って、図４のホログラム形成層３は、反射状態と透過状態の２通りの方法により目視で真偽判別が可能となる。また、本実施例では、潜像画像画素６ｂに対して、潜像背景画素６ｄの直径の方が小さく説明しているが、逆の構成でも本発明における効果は変わらない。更に、潜像画像画素６ｂと潜像背景画素６ｄは、必ずしもマトリックス状、規則的である必要はない。なお、光反射性部材にはアルミニウム、光反射性部材となるホログラム加工層４は、透明又は半透明の熱可塑性樹脂や熱硬化性樹脂又は、これらを組合わせて使用することが望ましい。また、本実施例は、潜像画像領域に配置した全ての潜像画像画素６ｂを、同一の直径、ピッチで示しているが、潜像画像領域に配置した潜像画像画素６ｂであれば、一部の潜像画像画素６ｂの直径やピッチを変化させても良く、例えば、前記潜像画像領域と前記潜像背景領域の境界部に近傍した潜像画像画素６ｂの一部のみの直径やピッチを変化させても良い。
【実施例２】
【００５２】
実施例２〜実施例６は、実施例１の基材１０に貼付したホログラム形成層３における潜像画像画素６ｂ及び潜像背景画素６ｄの画素構成は異なっているが、ホログラムの層構成及び効果は同一である。従って、同一な構成の説明は省略し、異なる構成のみを説明する。
【００５３】
図５は、実施例１の潜像画像画素６ｂ及び潜像背景画素６ｄの画素形状を長方形にして、潜像画像画素６ｂと潜像背景画素６ｄとの面積が異なる例である。例えば、潜像画像画素６ｂである長方形の長辺Ｗ１は０．６０ｍｍ、短辺Ｗ２は０．２０ｍｍとする。隣接する潜像画像画素６ｂの縦横方向のピッチＰは１．００ｍｍでマトリックス状に等間隔で配置する。一方、潜像背景画素６ｄである長方形の長辺Ｗ３は０．６０ｍｍ、短辺Ｗ４は０．１０ｍｍとする。隣接する潜像画像画素６ｂの縦横方向のピッチＰは１．００ｍｍでマトリックス状に等間隔で配置する。更に、前記潜像画像画素６ｂと前記潜像背景画素６ｄは、縦横方向に同一延長線上に形成されている。ただし、潜像画像画素６ｂ及び潜像背景画素６ｄの大きさやピッチは、前述の数値に制限されるものではなく、適宜選択すれば良い。本実施例で構成した場合、実施例１と同様のホログラム効果や潜像効果が得られる。
【実施例３】
【００５４】
図６は、実施例１の潜像画像画素６ｂ及び潜像背景画素６ｄの画素形状を文字にして、潜像画像画素６ｂと潜像背景画素６ｄとの面積が異なる例である。例えば、潜像画像画素６ｂである文字の高さＷ１は０．７０ｍｍ、文字の線幅は０．１５ｍｍとする。隣接する潜像画像画素６ｂの縦横方向のピッチＰは１．５０ｍｍでマトリックス状に等間隔で配置する。一方、潜像背景画素６ｄである文字の高さＷ２は０．６５ｍｍ、文字の線幅は０．１２ｍｍとする。隣接する潜像背景画素６ｄの縦横方向のピッチＰは１．５０ｍｍでマトリックス状に等間隔で配置する。更に、前記潜像画像画素６ｂと前記潜像背景画素６ｄは、縦横方向に同一延長線上に形成されている。ただし、潜像画像画素６ｂ及び潜像背景画素６ｄの文字の高さやピッチは、前述の数値に制限されるものではなく、適宜選択すれば良い。また、潜像画像画素６ｂと潜像背景画素６ｄとの文字書体は、ホログラム１ａを反射状態で目視した場合に、潜像画像画素６ｂと潜像背景画素６ｄを、より潜像化（見えない）したい場合は、文字書体を同一にすることが望ましい。一方、ホログラム形成層３を透過状態で目視した場合に、潜像効果をより向上させたい場合は、文字書体を異ならせることが望ましい。本実施例で構成した場合、実施例１と同様のホログラム効果や潜像効果が得られる。
【実施例４】
【００５５】
図７は、実施例１の潜像画像画素６ｂ及び潜像背景画素６ｄの画素形状を三角形にして、潜像画像画素６ｂと潜像背景画素６ｄとの面積が同一で、向き（又は方向）が異なる例である。例えば、潜像画像画素６ｂと潜像背景画素６ｄである三角形の高さＷ１は０．２０ｍｍ、底辺Ｗ２は０．１５ｍｍとする。隣接する潜像画像画素６ｂ及び潜像背景画素６ｄの縦横方向のピッチＰは１．００ｍｍでマトリックス状に等間隔で配置する。更に、前記潜像画像画素６ｂと前記潜像背景画素６ｄは、縦横方向に同一延長線上に、且つ、潜像画像画素６ｂは潜像背景画素６ｄに対して、角度を異ならせて形成されている。具体的な潜像画像画素６ｂ及び潜像背景画素６ｄの角度は、潜像画像画素６ｂは、三角形の底辺に対して頂点が左に向くような第１の向きで配置し、潜像背景画素６ｄは、三角形の底辺に対して頂点が上に向くような第２の向きで配置することから、第１と第２の向きは異なり、異方性を有している。なお、潜像画像画素６ｂ及び潜像背景画素６ｄの大きさやピッチは、前述の数値に制限されるものではなく、適宜選択すれば良い。
【００５６】
本実施例で構成した場合、実施例１と同様のホログラム効果や潜像効果が得られる。ただし、透過状態で目視した場合の潜像効果の出現する原理は、実施例１〜実施例３の画素面積の差（正確には、画素から透過する光量の差）ではなく、画素による縦横方向の方向性の差（正確には、画素から透過する縦横方向の光による方向性の差）によって潜像効果が出現するものである。
【実施例５】
【００５７】
図８は、実施例１の潜像画像画素６ｂ及び潜像背景画素６ｄに、第２の潜像画像画素６ｆを加え、画素形状を円にして、潜像画像画素６ｂ、潜像画像画素６ｆ及び潜像背景画素６ｄの円面積を同一とし、且つ、潜像画像領域と潜像背景領域とのそれぞれの単位あたりの円密度が異なる例である。例えば、図８の拡大図に示すように、潜像画像画素６ｂは、潜像画像領域のうち、上から１列目、３列目、５列目であり、それぞれ横方向に３個配列されている円である。一方、潜像画像画素６ｆは、潜像画像領域のうち、上から２列目、４列目であり、それぞれ横方向に３個配列されている円である。また、潜像背景画素６ｄは、潜像背景領域に形成する円である。この時、潜像画像画素６ｂ、潜像画像画素６ｆ及び潜像背景画素６ｄである円のそれぞれの直径Ｗは０．１５ｍｍとし、前記円のそれぞれのピッチＰは、１．００ｍｍである。更に、前記潜像画像画素６ｂと前記潜像背景画素６ｄは、縦横方向に同一延長線上にマトリックス状に形成され、また、潜像画像画素６ｆは、潜像画像画素６ｂの位置に対して、縦横方向に半ピッチ分ずらして、マトリックス状に形成することが望ましい。ただし、潜像画像画素６ｂ、潜像画像画素６ｆ及び潜像背景画素６ｄの大きさやピッチは、前述の数値に制限されるものではなく、適宜選択すれば良い。
【００５８】
本実施例で構成した場合、実施例１と同様のホログラム効果や潜像効果が得られる。ただし、透過状態で目視した場合の潜像効果の出現する原理は、実施例１〜実施例３と同様で、画素密度の差（正確には、画素から透過する光量の差）を利用しているが、画素の大小ではなく密度であり、単位あたりに画素密度の差（正確には、画素から透過する光量の差）によって潜像効果が出現するものである。
【実施例６】
【００５９】
図９は、実施例１の潜像画像画素６ｂを正方形にして、潜像背景画素６ｄの代わりに潜像背景線６ｄとし、潜像画像領域における単位あたりの正方形の面積と潜像背景領域における単位あたりの線面積を同一とする例である。例えば、潜像画像画素６ｂである正方形の１辺の長さＷ１は０．２０ｍｍとする。隣接する潜像画像画素６ｂの横方向のピッチＰ１は０．４０ｍｍで、縦方向のピッチＰ２は１．００ｍｍとする。一方、潜像背景線６ｄの線幅Ｗ２は０．１０ｍｍとし、隣接する潜像背景線６ｄの線ピッチＰ２は１．００ｍｍとする。更に、前記潜像画像画素６ｂと前記潜像背景線６ｄは、横方向に同一延長線上に且つ、潜像画像領域における単位あたりの前記正方形の面積と潜像背景領域における単位あたりの前記線面積を同一で形成されている。また、潜像画像領域における単位あたりの前記正方形の面積と潜像背景領域における単位あたりの前記線面積を異なって形成してもかまわない。ただし、潜像画像画素６ｂ及び潜像背景画素６ｄの大きさやピッチは、前述の数値に制限されるものではなく、適宜選択すれば良い。なお、前記潜像画像領域と前記潜像背景領域の構成を逆にしても良い。
【００６０】
本実施例で構成した場合、実施例１と同様のホログラム効果や潜像効果が得られる。ただし、透過状態で目視した場合の潜像効果の出現する原理は、実施例１〜実施例３の画素密度の差（正確には、画素から透過する光量の差）ではなく、画素や線の形状の差（正確には、画素から透過する光の形状の差）によって潜像効果が出現するものである。
【００６１】
また、実施例１〜実施例６では、潜像画像領域（又は潜像画像画素６ｂ）の構成（又は、反射状態で目視できる構成）として「Ｐ」という文字で説明しているが、文字に限らず、図柄、マークなどでも構わない。更に、潜像画像画素６ｂや潜像背景画素６ｄは、多角形、円、文字のほかに、図形やマークでも構わない。
【００６２】
また、実施例１〜実施例６では、反射状態で目視した場合に、潜像画像画素６ｂ及び潜像背景画素６ｄを、より潜像化、正確には見えなくするため、ホログラム形成層３のホログラム画像領域６に対して、潜像画像画素６ｂ及び潜像背景画素６ｄは略全域に形成しているが、ホログラム画像領域６の一部の領域、例えば、１／２や１／４の領域で形成しても良い。
【００６３】
更に、ホログラム形成層３を反射状態で目視した場合に、より潜像化（又は、カモフラージュ化）するためには、前記光反射性部材に高輝度、高光沢性を有し、より高い回折光を得られる材質にすることが望ましく、例えば、アルミニウムが好適である。また、ホログラム形成層３を貼付する基材１０の色彩としては、白又は原色を除いた中間色の基材を用いるか、基材に中間色の印刷を施すなどして潜像化が向上する。
【００６４】
なお、実施例では、基材１０を紙で説明しているが、透明性を有するプラスチックカード、プラスチックフイルム、ガラス、不織布、布などを利用しても、同様な効果が得られる。なお、実施例１〜実施例６を説明する図４〜図９は、便宜上、潜像画像画素及び潜像背景画素を拡大して示しており、実際の構成は微細であり図示する大きさでは構成されていない。また、潜像画像画素及び潜像背景画素は、前述のとおり反射状態で見えないことが望ましいが、潜像画像画素又は潜像背景画素の一部が、反射状態で若干見える構成であっても、潜像画像領域から成る情報（例えば、実施例１〜６では「Ｐ」が認識できず（又は、気づかず）、且つ、ホログラム効果の視認性を著しく阻害しなければ、本発明の技術的思想の範囲内である。
【図面の簡単な説明】
【００６５】
【図１】本発明のホログラムシートの斜視図である。
【図２】本発明のホログラム形成層を基材に貼付した時の概要図である。
【図３】本発明のホログラムシートの断面図である。
【図４】本発明におけるホログラム形成層を基材に貼付した時の一実施例の概略図及び透過状態で目視した模式図である。
【図５】本発明におけるホログラム形成層を基材に貼付した時の一実施例の概略図及び透過状態で目視した模式図である。
【図６】本発明におけるホログラム形成層を基材に貼付した時の一実施例の概略図及び透過状態で目視した模式図である。
【図７】本発明におけるホログラム形成層を基材に貼付した時の一実施例の概略図及び透過状態で目視した模式図である。
【図８】本発明におけるホログラム形成層を基材に貼付した時の一実施例の概略図及び透過状態で目視した模式図である。
【図９】本発明におけるホログラム形成層を基材に貼付した時の一実施例の概略図及び透過状態で目視した模式図である。
【図１０】本発明におけるホログラム形成層を基材に貼付した時の反射状態で目視する概略図である。
【図１１】本発明におけるホログラム形成層を基材に貼付した時の潜像効果を示す概略図である。
【図１２】本発明におけるホログラム形成層を基材に貼付した時の透過状態で目視する概略図である。
【符号の説明】
【００６６】
１  ホログラムシート
２  ホログラムシート基材
２ａ  シート基材
２ｂ  剥離層
３  ホログラム形成層
４  ホログラム加工層
５  回折格子
５ａ  光反射性部材を密着した凹凸
５ｂ  光透過性部材から成る凹凸
６  ホログラム画像領域
６ａ、６ｃ  光反射性部材から成る光反射領域
６ｂ、６ｄ、６ｆ  光透過性部材から成る画素
６ｅ  光透過性部材から成る透明領域
７  マスク層
８  接着剤層
９  位置決めマーク
１０  基材
Ｓ  刻印
Ｗ、Ｗ１、Ｗ２、Ｗ３、Ｗ４  画素の大きさ
Ｐ、Ｐ１、Ｐ２  ピッチ
【図１】
0004783944.tif 000002
【図２】
0004783944.tif 000003
【図３】
0004783944.tif 000004
【図４】
0004783944.tif 000005
【図５】
0004783944.tif 000006
【図６】
0004783944.tif 000007
【図７】
0004783944.tif 000008
【図８】
0004783944.tif 000009
【図９】
0004783944.tif 000010
【図１０】
0004783944.tif 000011
【図１１】
0004783944.tif 000012
【図１２】
0004783944.tif 000013